(57)【要約】【課題】プーリ部材等の外側部材とプーリボス等の内側部材との回転速度の変動を効果的に緩和し、内側部材と外側部材の間の各玉の間隔の変化を吸収しつつ、不使用時等に各玉を略均等に配置可能な回動付勢機構を提供する。【解決手段】回動付勢機構１は、第１軸心Ｘ１回りに回転可能で、かつ環状の外側軌道面２１を内周に有する外側部材２と、第１軸心Ｘ１回りに回転可能で、かつ外側軌道面２１の径方向内側に全周に亘って対向する環状の内側軌道面３１を外周に有する内側部材３と、外側軌道面２１と内側軌道面３１との間に転動可能に配置された複数の玉４とを備える。外側軌道面２１及び内側軌道面３１は、それぞれ第１軸心Ｘ１に対して傾斜した第２、第３軸心Ｘ２、Ｘ３回りに形成される。複数の玉４の相互間には、複数の玉４の周方向間隔を保持し、かつその間隔の変化を弾性変形によって吸収する弾性保持体５が設けられる。【選択図】      図１
2011002026.tif 000002
【特許請求の範囲】
【請求項１】
第１軸心回りに回転可能であり、かつ環状の外側軌道面を内周に有している外側部材と、
前記第１軸心回りに回転可能であり、かつ前記外側軌道面の径方向内側に全周に亘って対向する環状の内側軌道面を外周に有している内側部材と、
前記外側軌道面と前記内側軌道面との間に転動可能に配置された複数の玉と、を備えており、
前記外側軌道面が、前記第１軸心に対して傾斜した第２軸心回りに形成され、
前記内側軌道面が、前記第１軸心に対して傾斜した第３軸心回りに形成され、
前記複数の玉の周方向間隔を保持すると共にその間隔の変化を弾性変形によって吸収する弾性保持体が、前記複数の玉の相互間に設けられていることを特徴とする回動付勢機構。
【請求項２】
前記弾性保持体がコイルバネにより構成されている請求項１に記載の回動付勢機構。
【請求項３】
前記弾性保持体は、その周方向中間部の軸方向寸法が、前記外側軌道面及び前記内側軌道面の軸方向寸法よりも大きく形成されている請求項１又は２に記載の回動付勢機構。
【請求項４】
前記弾性保持体の周方向両端部には、前記玉の外面に当接する円環状の当接部が設けられている請求項１〜３のいずれかに記載の回動付勢機構。
【請求項５】
前記第１軸心に対する前記第２軸心の傾斜角度と前記第３軸心の傾斜角度とが同一である請求項１〜４のいずれかに記載の回動付勢機構。
【請求項６】
外周にベルトが巻き掛けられるプーリ部材と、
このプーリ部材の内周側に、当該プーリ部材と同心に配置されたプーリボスと、
前記プーリ部材と前記プーリボスとの間に配置された回動付勢機構と、を備えており、
前記回動付勢機構は、
前記プーリ部材の内周側に設けられた環状の外側軌道面と、
前記プーリボスの外周側において前記外側軌道面の径方向内側に全周に亘って対向して配置された環状の内側軌道面と、
前記外側軌道面と前記内側軌道面との間に転動可能に配置された複数の玉と、を備えており、
前記外側軌道面が、前記プーリ部材の回転軸心に対して傾斜した第２軸心回りに形成され、
前記内側軌道面が、前記プーリ部材の回転軸心に対して傾斜した第３軸心回りに形成され、
前記複数の玉の周方向間隔を保持すると共にその間隔の変化を弾性変形によって吸収する弾性保持体が、前記複数の玉の相互間に設けられていることを特徴とするプーリ装置。
【発明の詳細な説明】
【技術分野】
【０００１】
本発明は、回転方向にばね弾性を有する回動付勢機構、及びこれを備えたプーリ装置に関する。
【背景技術】
【０００２】
自動車等のエンジンの補機として用いられるオルタネータは、クランクシャフトから取り出された回転力によって駆動され、自動車の走行に必要な電力を供給する。このオルタネータの入力軸にはオルタネータ用プーリ装置が取り付けられ、このオルタネータ用プーリ装置と、クランクシャフトに取り付けられたプーリとの間にベルトを架け渡すことで、オルタネータにエンジンの回転力を伝達している。
【０００３】
一般に、自動車等のエンジンのクランクシャフトはシリンダ内の爆発力によって回転力が付与されるので、その回転速度には変動が生じる。一方、オルタネータは、その内部において比較的重量の重いアーマチュア等が入力軸と一体に回転しているので、クランクシャフトの回転速度の変動が急激であると、アーマチュアは自身の回転で生じる慣性力によってクランクシャフトの回転速度の変動に追従できず、クランクシャフトとオルタネータとの間で一時的に回転速度差が生じる場合がある。このような回転速度差は、オルタネータ用プーリ装置とベルトとの間のスリップやベルトへの過大な負荷を招き、ベルトの異音の発生や寿命低下等の原因となる。また、ベルトのスリップを防止するために当該ベルトの初期張力を比較的高く設定すると、クランクシャフトの回転抵抗が増大し、エンジンの燃費性能を低下させるという問題が生じる。
【０００４】
このため、従来のオルタネータ用プーリ装置には、クランクシャフトから伝達される回転速度の変動を許容するために、ベルトが巻き掛けられるプーリ部材と、オルタネータの入力軸に固定されるプーリボスとの間に回動付勢機構が設けられていた。
【０００５】
従来、このような回動付勢機構として、プーリ部材とプーリボスとの間にねじりコイルばねを設け、ねじりコイルばねが捻られることにより生じる弾性力によって、プーリ部材とプーリボスとを一時的に周方向に弾性的に相対回転させることで、回転速度の変動を緩和するようにしたものが知られている（特許文献１参照）。
【先行技術文献】
【特許文献】
【０００６】
【特許文献１】特開平５−１８０２８７号公報
【発明の概要】
【発明が解決しようとする課題】
【０００７】
従来のねじりコイルばねを用いた回動付勢機構においては、プーリボスに対するプーリ部材の回転変動の緩和特性が、ばねの寸法等（線径、自由長、巻数等）によって定められるばね特性に依存していた。しかし、ねじりコイルばねの寸法等はオルタネータ用プーリ装置内の組み込みスペース等によって制限されるので、ばね特性を自由に設定することは困難であった。また、ねじりコイルばねのばね定数は一定であるので、ねじれ角に応じてばね定数を自在に変化させることはできなかった。このため、オルタネータ用プーリ装置としての回転変動の緩和特性を設定する際の自由度が制限され、クランクシャフトの回転速度の変動を十分に緩和できない可能性があった。また、コイルばねを備えることによってプーリ装置としての強度が低下し、耐久性の面で不利になるという問題があった。
【０００８】
そこで本願出願人は、上記問題を解決するために、ねじりコイルばねを用いることなく構成し、プーリ部材のプーリボスに対する回転変動の緩和特性の自由度を高めることが可能な回動付勢機構（プーリ装置）を従前に提案している（特願２００８−１３８１１８号；以下、単に「先願」という）。
【０００９】
この先願の回動付勢機構は、プーリ部材の内周側に設けられ、プーリ部材の回転軸心に対して傾斜した軸心回りに形成された外側軌道面と、プーリボスの外周側に設けられ、外側軌道面と同様にプーリ部材の回転軸心に対して傾斜した軸心回りに形成された内側軌道面と、外側軌道面と内側軌道面との間に転動可能に配置された複数の玉と、複数の玉の相互間に設けられ、各玉の間隔を保持するための複数の保持部材と、を備えている。そして、プーリ部材がプーリボスに相対してプーリ部材の回転軸心回りに回転すると、外側軌道面は内側軌道面に対して周方向に相対移動するだけでなく軸方向にも相対移動し、外側軌道面と内側軌道面との間で玉が徐々に軸方向に挟持され、その反作用として外側軌道面と内側軌道面との相対回転により生じた位相差を解消する方向への弾性力（回動付勢力）が生じる。そして、外側軌道面と内側軌道面との相対回転角度が所定に達すると、外側軌道面と内側軌道面との相対回転が玉によって規制され、外側部材と内側部材とが一体的に回転するように構成されている。
【００１０】
ところが、外側軌道面と内側軌道面との間に配置された各玉は、その配置箇所によって両軌道面の相対回転に伴う周方向の移動量（公転角度）が相互に異なるため、この移動量の差を吸収するには保持器と玉との隙間をある程度大きく設定する必要がある。特に、回動付勢機構のばね定数を高めるために、プーリ部材の回転軸心に対する外側軌道面及び内側軌道面の傾斜角度を大きくした場合には、各玉の移動量の差も大きくなるため、保持器と玉との隙間をより大きく設定する必要があり、回動付勢機構の不使用時（製品搬送時やプーリ装置の停止時等）に玉の間隔が不均一となって玉の配置に偏りが生じやすく、使用開始時等に所望の性能を発揮し難くなる可能性がある。
【００１１】
本発明は、以上のような実情に鑑みてなされたものであり、ねじりコイルばねを使用することなく、外側部材と内側部材との回転速度の変動を効果的に緩和することが可能であり、しかも、各玉の周方向の移動量の差（各玉の間隔の変化）を吸収しつつ不使用時等には各玉を略均等に配置することができる回動付勢機構、及びこれを備えたプーリ装置を提供することを目的とする。
【課題を解決するための手段】
【００１２】
（１）  本発明の回動付勢機構は、第１軸心回りに回転可能であり、かつ環状の外側軌道面を内周に有している外側部材と、前記第１軸心回りに回転可能であり、かつ前記外側軌道面の径方向内側に全周に亘って対向する環状の内側軌道面を外周に有している内側部材と、前記外側軌道面と前記内側軌道面との間に転動可能に配置された複数の玉と、を備えており、前記外側軌道面が、前記第１軸心に対して傾斜した第２軸心回りに形成され、前記内側軌道面が、前記第１軸心に対して傾斜した第３軸心回りに形成され、前記複数の玉の周方向間隔を保持すると共にその間隔の変化を弾性変形によって吸収する弾性保持体が、前記複数の玉の相互間に設けられていることを特徴とする。
【００１３】
この構成によれば、外側軌道面及び内側軌道面が第１軸心に対して傾斜した第２，第３軸心回りに形成されているので、例えば外側部材が内側部材に相対して第１軸心回りに回転すると、外側軌道面は内側軌道面に対して周方向に相対移動するだけでなく軸方向にも相対移動する。そして、この軸方向の相対移動により、外側軌道面と内側軌道面との間の玉の配置空間が次第に軸方向に狭くなる。一方、複数の玉は、外側部材の回転に伴って転動しつつ、次第に狭くなっていく前記配置空間において外側軌道面と内側軌道面との間で軸方向に徐々に強く挟持される。この作用により、外側部材と内側部材との相対回転による位相差を解消する方向への弾性力（回動付勢力）が生じる。そして、外側部材と内側部材との相対回転角度が所定に達すると、外側軌道面と内側軌道面との周方向及び軸方向の相対移動が玉によって規制され、外側部材と内側部材とが一体的に回転する。
【００１４】
したがって、本発明では、外側部材と内側部材とが相対回転可能な範囲において、外側部材と内側部材との間の回転変動を弾性的に吸収（緩和）することが可能となる。そして、回転変動の緩和特性は、外側軌道面や内側軌道面の曲率半径や玉の直径等を変更することによって自由に設定することができ、効果的に回転変動を緩和することができる。
また、従来技術のように、ねじりコイルばねやねじりコイルばねを設けるための複雑な構造を必要とせず、非常に簡素な構造により回動付勢機構を形成することが可能となり、回動付勢機構の小型化も可能となる。また、外側部材及び内側部材には、一般的な転がり軸受の軌道面の加工と略同一の方法により、第２、第３軸心回りに外側軌道面及び内側軌道面を形成することが可能となり、製作も容易である。また、本発明の回動付勢機構は、外側部材と内側部材と玉とによって転がり軸受のような形態となり、外側部材や内側部材に作用するラジアル荷重を支持可能な構造とすることができる。
【００１５】
また、外側部材が内側部材に対して相対回転すると、外側軌道面と内側軌道面との間に配置された各玉４はその配置箇所によって周方向の移動量（公転角度）が異なるため、各玉の周方向の間隔が変化する。本発明では、複数の玉の周方向間隔を保持すると共にその間隔の変化を弾性変形によって吸収する弾性保持体が複数の玉の相互間に設けられているので、外側部材と内側部材の相対回転時には、各玉の間隔の変化に応じて弾性保持体が弾性変形しつつ各玉の間隔を保持することができ、外側部材と内側部材とが相対回転していない不使用時等には弾性保持体が各玉の間隔を均一に保持することができ、各玉の偏りを防止することができる。
【００１６】
（２）  前記弾性保持体はコイルバネにより構成されていることが好ましい。これによって簡単な構造で各玉の間隔を保持しつつ、当該間隔の変化を好適に吸収することができる。
【００１７】
（３）  前記弾性保持体は、周方向中間部の軸方向寸法が、前記外側軌道面及び前記内側軌道面の軸方向寸法よりも大きく形成されていることが好ましい。このような構成によって、弾性保持体を外側部材の内周面と内側部材の外周面との間でガイドすることが可能となり、弾性保持体の傾きを防止することができる。
【００１８】
（４）  前記弾性保持体の周方向両端部には、玉の外面に当接する円環状の当接部が設けられていることが好ましい。このような構成によって、当接部の全周を玉の外面に当接させることができ、弾性保持体が玉から外れてしまうのを防止することができる。
【００１９】
（５）  前記第１軸心に対する前記第２軸心の傾斜角度と前記第３軸心の傾斜角度とは、同一であることが好ましい。このような構成によって、外側部材に対する外側軌道面の加工と、内側部材に対する内側軌道面の加工とを略同様の態様で行うことができ、加工性を向上することができる。
【００２０】
（６）  本発明のプーリ装置は、外周にベルトが巻き掛けられるプーリ部材と、このプーリ部材の内周側に、当該プーリ部材と同心に配置されたプーリボスと、前記プーリ部材と前記プーリボスとの間に配置された回動付勢機構と、を備えており、前記回動付勢機構は、前記プーリ部材の内周側に設けられた環状の外側軌道面と、前記プーリボスの外周側において前記外側軌道面の径方向内側に全周に亘って対向して配置された環状の内側軌道面と、前記外側軌道面と前記内側軌道面との間に転動可能に配置された複数の玉と、を備えており、前記外側軌道面が、前記プーリ部材の回転軸心に対して傾斜した第２軸心回りに形成され、前記内側軌道面が、前記プーリ部材の回転軸心に対して傾斜した第３軸心回りに形成され、前記複数の玉の相互間には、各玉の周方向の間隔を保持すると共にその間隔の変化を弾性変形によって吸収する弾性保持体が設けられていることを特徴とする。
このような構成によって、上記（１）の回動付勢機構と同様の作用効果を奏することができる。
【発明の効果】
【００２１】
本発明によれば、ねじりコイルばねを使用することなく外側部材と内側部材との間の回転速度の変動を効果的に緩和することが可能であり、しかも、各玉の周方向の移動量の差（各玉の間隔の変化）を吸収することができるとともに、不使用時等には各玉の間隔を均一に保持することができる。
【図面の簡単な説明】
【００２２】
【図１】本発明の実施形態に回動付勢機構の断面図である。
【図２】回動付勢機構の作用を説明するための概略正面図である。
【図３】回動付勢機構の作用を説明するための概略平面図である。
【図４】（ａ）は図１のＡ−Ａ矢視断面図、（ｂ）は図１のＢ矢視概略図である。
【図５】弾性保持体を示す側面図である。
【図６】回動付勢機構を適用したプーリ装置の断面図である。
【発明を実施するための形態】
【００２３】
図１は、本発明の実施形態に係る回動付勢機構の断面図である。この回動付勢機構１は、内周に外側軌道面２１を有する環状の外輪（外側部材）２と、外周に内側軌道面３１を有する環状の内輪（内側部材）３と、外側軌道面２１及び内側軌道面３１の間に配置された複数の玉４と、各玉４の間隔を保持する弾性保持体５とを備えている。なお、以下の説明において、「軸方向」とは外輪２及び内輪３の軸心(第１軸心)Ｘ１に平行な方向をいい、「周方向」とは外輪２及び内輪３の軸心Ｘ１回りの方向をいう。
【００２４】
外輪２、内輪３、及び玉４は、軸受鋼等の金属により形成されている。また、外輪２及び内輪３は、第１軸心Ｘ１回りに回転可能に構成されている。外側軌道面２１及び内側軌道面３１は、第１軸心Ｘ１を通る面で切断した断面形状が凹円弧状（凹曲面状）に形成され、その曲率半径が玉４の半径よりも大きい寸法に設定されている。複数の玉４は、互いに周方向に間隔をあけた状態で、外側軌道面２１と内側軌道面３１との間に全周に亘って配置されている。
【００２５】
外側軌道面２１は、第１軸心Ｘ１に対して傾斜した第２軸心Ｘ２回りに形成されている。換言すると、外側軌道面２１は、第１軸心Ｘ１に直交する垂直面Ｙ１に対して傾斜した面Ｙ２と平行に形成されている。また、内側軌道面３１は、第１軸心Ｘ１に対して傾斜した第３軸心Ｘ３回りに形成されている。換言すると、内側軌道面３１は、第１軸心Ｘ１に直交する垂直面Ｙ１に対して傾斜した面Ｙ３と平行に形成されている。本実施形態では、第２軸心Ｘ２と第３軸心Ｘ３とは、第１軸心Ｘ１に対して同じ傾斜角度θで傾斜している。
【００２６】
図１に示す状態において、外側軌道面２１の第２軸心Ｘ２と内側軌道面３１の第３軸心Ｘ３とは互いに一致している。したがって、外側軌道面２１と内側軌道面３１とは、ほぼ平行に配置され、周方向全周に亘って互いに対向している。以下、この状態を基準状態という。そして、例えば内輪３を停止状態とし、外輪２を第１軸心Ｘ１回りに回転させると、外側軌道面２１は内側軌道面３１に対して周方向及び軸方向に移動する。以下、このときの作用を図２及び図３を参照して詳しく説明する。
【００２７】
図２は、回動付勢機構１の作用を説明するための概略正面図であり、図３は、同じく回動付勢機構１の作用を説明するための概略平面図（図１の外側軌道面２１及び内側軌道面３１を矢印Ｄ方向に見た図）である。図２（ａ）及び図３（ａ）において、外側軌道面２１及び内側軌道面３１は基準状態にある。そして、図２（ｂ）及び図３（ｂ）に示すように、外側軌道面２１が内側軌道面３１に対して相対的に矢印方向Ｃに回転すると、外側軌道面２１は、垂直面Ｙ１（図１）に対する傾斜によって、内側軌道面３１に対して周方向だけでなく軸方向にも相対移動する。この軸方向の相対移動により、外側軌道面２１と内側軌道面３１との間の玉４の収納空間Ｓの軸方向幅Ｌが次第に狭くなっていき、玉４は矢印Ｚのように転動し、内側軌道面３１の肩部３２近傍と外側軌道面２１の肩部２２近傍との間で次第に強く挟まれる。内輪３に対する外輪２の相対回転が所定量（角度）に達すると、外側軌道面２１及び内側軌道面３１の周方向及び軸方向の相対移動が玉４によって規制され、外輪２に追従して内輪３が一体的に回転する。
【００２８】
外側軌道面２１と内側軌道面３１とが軸方向に相対移動していく過程において、玉４と、外側軌道面２１及び内側軌道面３１との接触圧は次第に高められていく。そして、玉４と両軌道面２１，３１との接触に伴う玉４及び両軌道面２１，３１の弾性変形により、外輪２と内輪３との相対回転による位相差を解消する方向（相対回転方向とは逆方向）への回動付勢力（ねじりばね力）が発生する。また、外側軌道面２１と内側軌道面３１との軸方向の相対移動量が大きくなるに従って回動付勢機構１のばね定数が徐々に増大し、これに伴って当該回動付勢力も増大する。
【００２９】
以上の構成において、外輪２と内輪３とは所定の範囲で相対回転可能であり、外輪２と内輪３とが一体的に回転している状態で両者２，３間に回転変動が生じた場合には、当該相対回転範囲において回転変動を弾性的に吸収（緩和）することが可能である。
また、回転変動の緩和特性は、外側軌道面２１や内側軌道面３１の曲率半径や溝深さ、玉４の半径、第１軸心Ｘ１に対する第２，第３軸心Ｘ２，Ｘ３の傾斜角度θ等を変更することによって自由に設定することができる。例えば、外側軌道面２１や内側軌道面３１の曲率半径を大きくすれば、外輪２及び内輪３の相対回転範囲も大きくなり、回動付勢機構１のばね定数（ばね剛性）を低く設定することが可能となる。また、第１軸心Ｘ１に対する第２，第３軸心Ｘ２，Ｘ３の傾斜角度θを大きくすれば、ばね定数を高く設定することが可能である。したがって、外輪２や内輪３の回転特性等に応じて効果的に外輪２と内輪３との間の回転変動を緩和することが可能となる。
【００３０】
また、従来技術のようなねじりコイルばねや、ねじりコイルばねを設けるための複雑な構造を必要とせず、外輪２及び内輪３に外側軌道面２１及び内側軌道面３１を形成し、両軌道面の間に玉４を配置するという非常に簡素な構造により回動付勢機構１を形成することが可能となり、回動付勢機構１の小型化も可能となる。また、外側軌道面２１及び内側軌道面３１は、第２，第３軸心Ｘ２，Ｘ３回りの周方向に均一な溝とされているので、一般的な転がり軸受の軌道面の加工方法（研磨方法）と略同一の方法により外側軌道面２１や内側軌道面３１を形成することが可能となり、製作（加工）が容易となる。さらに、回動付勢機構１は、外輪２と内輪３と玉４とによって転がり軸受のような形態となるので、外輪２や内輪３に作用するラジアル荷重を支持可能となる。
【００３１】
図４（ａ）は、図１のＡ−Ａ矢視断面図であり、図４（ｂ）は図１のＢ矢視概略図である。また、図５は、弾性保持体の側面図である。各玉４の間には、それぞれ弾性保持体５が設けられている。各弾性保持体５は、周方向に収縮自在な圧縮コイルばねによって構成されており、周方向両端部に玉４の外周面に当接する当接部５Ａを備えている。この当接部５Ａは、玉４の直径よりも小さい直径の円環状に形成されており、その全周が玉４の外周面に密着するように形成されている。
【００３２】
また、弾性保持体５の周方向中間部５Ｂ（両当接部５Ａ間に配置された部分）は、軸方向寸法Ｌが径方向寸法Ｒよりも大きい形状、具体的には長円形状又は楕円形状に形成されている。中間部５Ｂの軸方向寸法Ｌは、各軌道面２１，３１の軸方向寸法よりも大きい寸法に設定されている。また、中間部５Ｂの径方向寸法Ｒは、外輪２の内周面と内輪３の外周面との間隔よりもやや小さく形成されている。
【００３３】
また、弾性保持体５は、各玉４の間に圧縮された状態で配置されている。したがって、外側軌道面２１及び内側軌道面３１が基準状態にあるときは、各弾性保持体５の弾性復帰力によって各玉４の間隔が均一に保持されるようになっている。
一方、外輪２が内輪３に対して相対的に回転し、外側軌道面２１及び内側軌道面３１が軸方向及び周方向に相対移動すると、各玉４は、その配置箇所に応じて周方向に異なった量だけ移動する。弾性保持体５は圧縮コイルばねからなっているので、このように各玉４の移動量(公転角度)に差が生じ、各玉４の間隔が変化しても、弾性保持体５自身が弾性的に伸縮することによって、各玉４の移動を妨げることなく間隔の変化を吸収することが可能となっている。
【００３４】
弾性保持体５の当接部５Ａは円環状に形成され、その全周が玉４の外周面に当接しているので、弾性保持体５が玉４から外れてしまうのを防止することができる。この当接部５Ａには、フッ素コーティング、銀メッキ、銅メッキ、又はＤＬＣコーティング等の摩擦係数を小さくするような表面処理を施してもよい。このような表面処理を施すことによって玉４と当接部５Ａとの間の摩擦抵抗を小さくすることができ、玉４を円滑に回転させて回動付勢機構１の性能確保と信頼性の向上を図ることができる。
【００３５】
また、弾性保持体５の中間部５Ｂは、外側軌道面２１及び内側軌道面３１の軸方向寸法よりも大きい軸方向寸法Ｌに形成され、外輪２の内周面と内輪３の外周面との間に小さい隙間をもって配置されているので、外輪２の内周面と内輪３の外周面とによって弾性保持体５をガイドすることができる。これにより、当接部５Ａの中心回りに弾性保持体５が回動するのを規制することができ、弾性保持体５が各玉４の間から外れたり、弾性保持体５にねじれが生じることによって軌道面２１，３１と玉４との間に挟み込まれてしまったりするのを防止することができる。
【００３６】
以下、本発明の回動付勢機構１の適用例を説明する。
図６は、本発明の回動付勢機構１を具備したプーリ装置７の断面図である。このプーリ装置７は、例えば自動車等のエンジン補機として用いられるオルタネータの入力軸８に取り付けられて使用される。プーリ装置７は、円筒状に形成されたプーリボス７１と、このプーリボス７１の外周側に同軸に配置された円筒状のプーリ部材７２と、これらの間に介装された回動付勢機構１とを備えている。
【００３７】
プーリ部材７２の外周面７２Ａには波状溝が形成され、当該外周面７２Ａに、エンジンのクランクシャフトからの回転力を伝達するためのベルト９が巻き掛けられる。
プーリボス７１の内周には、図示しないオルタネータから突設された入力軸８が挿入されている。また、プーリボス７１の内周面における軸方向中途部には、雌ねじ部７１Ａが一体的に形成されており、入力軸８の端部に設けられた雄ねじ部８Ａを雌ねじ部７１Ａに螺合することによってプーリボス７１が入力軸８と一体回転可能に連結される。また、プーリボス７１の内周側の端部には、プーリボス７１を入力軸８に螺合するための六角レンチを挿入するための正六角形のレンチ挿入部７１Ｂが形成されている。
【００３８】
回動付勢機構１の構成は、上述したものと同様であり、プーリ部材７２の内周面に一体回転可能に嵌合された外輪（外側部材）２と、プーリボス７１の外周面に一体回転可能に嵌合された内輪（内側部材）３と、外輪２及び内輪３の間に配置された玉４及び弾性保持体（図示略）とを備えている。また、本実施形態においては、回動付勢機構１が軸方向に２つ並設され、この２つの回動付勢機構１によって回動付勢装置が構成されている。各回動付勢機構１は、それぞれの第２，第３軸心Ｘ２１，Ｘ３１、Ｘ２２，Ｘ３２が第１軸心Ｘ１に対して互いに逆向きに傾斜するように配置されている。
【００３９】
本実施形態において、エンジンのクランクシャフトからベルト９を介して伝達された回転動力によりプーリ部材７２が回転すると、内側軌道面３１に対して外側軌道面２１が周方向に相対移動するとともに軸方向にも相対移動する。そして、図２及び図３を参照して説明したように、玉４が外側軌道面２１の肩部近傍と内側軌道面３１の肩部近傍との間に強く挟まれることにより、外側軌道面２１と内側軌道面３１との相対移動が規制され、プーリ部材７２とともにプーリボス７１が一体的に回転し、オルタネータの入力軸８が回転する。
【００４０】
クランクシャフトの回転変動によってプーリ部材７２とプーリボス７１との間に回転変動が生じると、プーリ部材７２とプーリボス７１との相対回転によって弾性的に回転変動を緩和することができる。そして、クランクシャフトの回転速度の変動を緩和することによって、ベルト９とプーリ部材７２との間に生じるスリップを効果的に抑制できる。そのため、ベルト９の初期張力を低く設定することが可能となり、クランクシャフトの負荷を低減し、エンジンの燃費性能を向上させることができる。
【００４１】
プーリボス７１に対してプーリ部材７２が相対回転すると、外側軌道面２１と内側軌道面３１とは周方向だけでなく軸方向に相対移動し、特に、軸方向の相対移動によって軸方向の力が発生し、この力がプーリ部材７２やプーリボス７１（入力軸８）に作用する可能性がある。しかし、本実施形態では、２つの回転付勢機構１が軸方向に並設され、しかも、それぞれの第２，第３軸心Ｘ２１，Ｘ３１、Ｘ２２，Ｘ３２が第１軸心Ｘ１に対して互いに逆向きに傾斜しているので、各回動付勢機構１において発生する軸方向の力が互いに打ち消され、入力軸８等に不要な負荷が付与されるのを防止することができる。
【００４２】
本発明は、前述の実施形態に限定されることなく適宜設計変更可能である。例えば、回動付勢機構１において、第１軸心Ｘ１に対する第２軸心Ｘ２の傾斜角度と、第３軸心Ｘ３の傾斜角度とは、必ずしも一致させなくてもよく、両軌道面２１，３１が全周に亘って対向し、その対向面間に玉４の配置空間を確保できれば、当該傾斜角度を異ならせることも可能である。
【００４３】
外側軌道面２１及び内側軌道面３１の曲率半径や溝深さは、互いに同一の寸法としてもよいし、異なる寸法としてもよい。曲率半径や溝深さを同一とするか異ならせるかについても、外側部材２や内側部材３の回転特性等に応じて適宜設計することができる。また、玉４の軌道列数は、１列に限らず、負荷に応じて２列、３列のように複列にしてもよい。
【００４４】
上記実施形態では弾性保持体５として圧縮コイルばねが用いられているが、板ばね等の他の構造のばねを用いてもよい。また、弾性保持体５は、ゴム等の弾性材料により形成されていてもよい。弾性保持体５の材質は、金属製やゴム製に限らずウレタン等の合成樹脂製であってもよい。
【００４５】
図６に示すプーリ装置７において、プーリ部材７２及びプーリボス７１はそれぞれ回動付勢機構１の外側部材２及び内側部材３を構成していてもよく、この場合、プーリ部材７２及びプーリボス７１にそれぞれ外側軌道面２１及び内側軌道面３１を直接形成すればよい。また、図６に示すプーリ装置７においては、２つの回動付勢機構１を並設しているが、４つ以上の偶数個の回動付勢機構１を並設するとともに、その半数の回動付勢機構１の第２，第３軸心Ｘ２，Ｘ３と、他の半数の回動付勢機構１の第２，第３軸心Ｘ２，Ｘ３とを、第１軸心Ｘ１に対して互いに逆向きに傾斜させることによって、各回動付勢機構１で発生する軸方向の力を互いに打ち消すことが可能となる。
【００４６】
本発明の回動付勢機構１は、オルタネータ用のプーリ装置以外に、例えば、クランクプーリや、カーエアコン用のプーリ、オートテンショナー等にも適用することができる。また、クラッチのクラッチディスクにも用いることができる。また、内外輪間の回転角度を測定しうる角度センサを取り付けることによってトルクセンサとしても利用することができる。
【符号の説明】
【００４７】
１：回動付勢機構、２：外輪（外側部材）、２１：外側軌道面、３：内輪（内側部材）、３１：内側軌道面、４：玉、５：保持体、７：プーリ装置、７１：プーリボス、７２：プーリ部材、９：ベルト
【図１】
2011002026.tif 000003
【図２】
2011002026.tif 000004
【図３】
2011002026.tif 000005
【図４】
2011002026.tif 000006
【図５】
2011002026.tif 000007
【図６】
2011002026.tif 000008